(57)【要約】【課題】表紙の背幅を容易に変化させることができ、且つ一対の表紙部材を共通の製造装置により製造することができるファイル用表紙を提供する。【解決手段】綴じ表紙部材１４に形成された差し込み片１６が開き表紙部材１２の袋状部１８内に差し込まれた長さに対応して表紙１０の背幅を変化させることができる表紙１０であって、開き表紙部材１２の袋状部１８は、第１表面材２２とそれに対向する第１裏面材２０とがその略周縁において連結され、綴じ表紙部材１４は、開き表紙部材１２を構成する第１表面材２２および第１裏面材２０とは略同一形状である第２表面材６２および第２裏面材６０と、開き表紙部材１２の差し込み用開口部２４から開き表紙部材１２の袋状１８内に差し込まれる差し込み片１６とを備えた、ファイル用表紙である。【選択図】      図１
2004338293.tif 000002
【特許請求の範囲】
【請求項１】
開き表紙部材と綴じ表紙部材とからなり、前記綴じ表紙部材に形成された差し込み片が前記開き表紙部材の袋状部内に摺動自在に差し込まれ、
該差し込み片が前記袋状部内に差し込まれた長さに対応して表紙の背幅を変化させることができるファイル用表紙であって、
前記開き表紙部材の袋状部は、第１表面材とそれに対向する第１裏面材とがその略周縁において連結され、且つ綴じ表紙部材に対向する部位に差し込み用開口部が形成され、
前記綴じ表紙部材は、前記開き表紙部材を構成する前記第１表面材および前記第１裏面材とは略同一形状である第２表面材および第２裏面材と、前記開き表紙部材の差し込み用開口部から前記開き表紙部材の袋状部内に差し込まれる差し込み片とを備えた、ファイル用表紙。
【請求項２】
前記開き表紙部材の袋状部は、方形の第１裏面材と、前記第１裏面材と略同一の長さと幅とを有し、前記第１裏面材と対向する方形の第１表面材とが境界において折曲され重ねられて、その周縁に延設された連結片と対向面とを接着して連結され、且つ前記綴じ表紙部材に対向する部位に差し込み用開口部が形成され、前記差し込み用開口部の近傍には綴じ足の基部を固定する第１綴じ足固定片が形成され、
前記綴じ表紙部材は、前記開き表紙部材を構成する方形の第１裏面材および第１表面材と略同一形状であって、方形の第２裏面材と前記第２裏面材と略同一の長さと幅とを有し、前記第２裏面材と対向する方形の第２表面材とが境界において折曲され重ねられ、その周縁に延設された連結片と対向面とを接着して連結され、且つ前記開き表紙部材の差し込み用開口部から前記開き表紙部材の袋状部内に差し込まれる差し込み片が形成され、前記差し込み片の基部の近傍には綴じ足の立ち上がり部を固定する綴じ足固定片が形成される、請求項１に記載のファイル用表紙。
【請求項３】
開き表紙部材の袋状部の内側面は略方形であり、綴じ表紙部材の差し込み片は前記袋状部と略平行に差し込まれるように形成されるとともに、前記開き表紙部材を構成する裏面材は、綴じ表紙部材側から前記差し込み片の差し込み方向と略平行で略直線状に延びる綴じ足の立ち上がり部と略平行に、差し込み用開口部から延び且つ袋状部の内側に向けて膨らむリブが形成された、請求項１または２に記載のファイル用表紙。
【発明の詳細な説明】
【０００１】
【発明の属する技術分野】
この発明は、ファイル用表紙に関し、特に表紙の背幅を変化させ、綴じ込む用箋等の量に対応することのできるファイル用表紙に関する。
【０００２】
【従来の技術】
従来、表紙の背幅を変化させ、綴じ込む用箋等の量に対応することのできるファイル用表紙として、たとえば、実公平２−１５６６３号公報に開示された見出し挿入用シート付ファイルなどがある。
この従来の見出し挿入用シート付ファイルは、表紙板と背表紙板と一体に形成するとともに、前記背表紙板の前記表紙板との境界部分近傍を、内側へ二重に折込んで、第１折込み片を形成した第１表紙板と、前記背表紙板を収納するための袋状部と、前記第１折込み片と共に書類を挟んで綴じ込むための第２折込み片を備える第２表紙板と、前記背表紙板の背部に貼着される透明な膜の樹脂の薄膜である見出し挿入用シートとを有したファイルである。
そして、このファイルは、第１表紙板と第２表紙板とからなり、第１表紙板の背表紙板を第２表紙板の差込細隙内に差込む形式のものである。
【０００３】
【特許文献１】
実公平２−１５６６３号公報
【０００４】
【発明の解決しようとする課題】
しかしながら、この見出し挿入用シート付ファイルは第１表紙板と第２表紙板と見出し挿入用シートの三つの部材からなり、それぞれがまったく異なる形状を有しており、そのために、たとえば、第１表紙板と第２表紙板とは別の製造装置により製造しなければならず、見出し挿入用シート付ファイルの製造コストが高騰する構造を有している。また、この見出し挿入用シート付ファイルは、綴じ込む用箋を第２表紙板側に綴じ、第１背表紙板が連設された第１表紙板ファイルを開閉する開き表紙とすれば、背幅を変えようとしたとき、第１表紙板の背表紙板が第２表紙板の差込細隙内に差込まれているために、第２表紙板の裏面に綴じられた用箋等が積載されることになり、その荷重によって第１表紙板の背表紙板の抜き差しが困難となり、ファイルの背幅を変更することができにくくなる。
【０００５】
それゆえに、この発明の主たる目的は、表紙の背幅を容易に変化させることができ、且つ一対の表紙部材を共通の製造装置により製造することができるファイル用表紙を提供することである。
【０００６】
【課題を解決するための手段】
この発明にかかるファイル用表紙は、開き表紙部材と綴じ表紙部材とからなり、綴じ表紙部材に形成された差し込み片が開き表紙部材の袋状部内に摺動自在に差し込まれ、該差し込み片が袋状部内に差し込まれた長さに対応して表紙の背幅を変化させることができ、また、開き表紙部材の袋状部は、第１表面材とそれに対向する第１裏面材とがその略周縁において連結され、且つ綴じ表紙部材に対向する部位に差し込み用開口部が形成され、綴じ表紙部材は、開き表紙部材を構成する第１表面材および第１裏面材とは略同一形状である第２表面材および第２裏面材と、開き表紙部材の差し込み用開口部から開き表紙部材の袋状部内に差し込まれる差し込み片とを備えたファイル用表紙である。
また、この発明にかかるファイル用表紙では、開き表紙部材の袋状部は、方形の第１裏面材と、第１裏面材と略同一の長さと幅とを有し、第１裏面材と対向する方形の第１表面材とが境界において折曲され重ねられて、その周縁に延設された連結片と対向面とを接着して連結され、且つ綴じ表紙部材に対向する部位に差し込み用開口部が形成され、差し込み用開口部の近傍には綴じ足の基部を固定する第１綴じ足固定片が形成され、綴じ表紙部材は、開き表紙部材を構成する方形の第１裏面材および第１表面材と略同一形状であって、方形の第２裏面材と第２裏面材と略同一の長さと幅とを有し、第２裏面材と対向する方形の第２表面材とが境界において折曲され重ねられ、その周縁に延設された連結片と対向面とを接着して連結され、且つ開き表紙部材の差し込み用開口部から開き表紙部材の袋状部内に差し込まれる差し込み片が形成され、差し込み片の基部の近傍には綴じ足の立ち上がり部を固定する綴じ足固定片が形成される。
さらに、この発明にかかるファイル用表紙では、開き表紙部材の袋状部の内側面は略方形であり、綴じ表紙部材の差し込み片は袋状部と略平行に差し込まれるように形成されるとともに、開き表紙部材を構成する裏面材は、綴じ表紙部材側から差し込み片の差し込み方向と略平行で略直線状に延びる綴じ足の立ち上がり部と略平行に、差し込み用開口部から延び且つ袋状部の内側に向けて膨らむリブが形成される。
【０００７】
【作用・効果】
請求項１に記載の発明によれば、開き表紙部材と綴じ表紙部材とからなり、前記綴じ表紙部材に形成された差し込み片が前記開き表紙部材の袋状部内に摺動自在に差し込まれ、該差し込み片が前記袋状部内に差し込まれた長さに対応して表紙の背幅を変化させることができるファイル用表紙であって、前記開き表紙部材の袋状部は、前記第１表面材とそれに対向する第１裏面材とがその略周縁において連結され、且つ綴じ表紙部材に対向する部位に差し込み用開口部が形成され、前記綴じ表紙部材は、前記開き表紙部材を構成する前記第１表面材および前記第１裏面材とは略同一形状である第２表面材および第２裏面材と、前記開き表紙部材の差し込み用開口部から前記開き表紙部材の袋状部内に差し込まれる差し込み片とを備えているので、表紙の背幅を容易に変化させることができるファイルを構成する開き表紙部材と綴じ表紙部材とを、共通の製造装置により製造することができる。
請求項２の発明によれば、前記開き表紙部材の袋状部は、方形の第１裏面材と、前記第１裏面材と略同一の長さと幅とを有し、前記第１裏面材と対向する方形の第１表面材とが境界において折曲され重ねられて、その周縁に延設された連結片と対向面とを接着して連結され、且つ前記綴じ表紙部材に対向する部位に差し込み用開口部が形成され、前記差し込み用開口部の近傍には綴じ足の基部を固定する第１綴じ足固定片が形成され、前記綴じ表紙部材は、前記開き表紙部材を構成する方形の第１裏面材および第１表面材と略同一形状であって、方形の第２裏面材と前記第２裏面材と略同一の長さと幅とを有し、前記第２裏面材と対向する方形の第２表面材とが境界において折曲され重ねられ、その周縁に延設された連結片と対向面とを接着して連結され、且つ前記開き表紙部材の差し込み用開口部から前記開き表紙部材の袋状部内に差し込まれる差し込み片が形成され、前記差し込み片の基部の近傍には綴じ足の立ち上がり部を固定する綴じ足固定片が形成されるので、表紙の背幅を容易に変化させることができるファイル用表紙を、それを構成する一対の表紙部材のいずれも共通の製造装置により製造できる。
請求項３の発明によれば、開き表紙部材の袋状部の内側面は略方形であり、綴じ表紙部材の差し込み片は前記袋状部と略平行に差し込まれるように形成されるとともに、前記開き表紙部材を構成する裏面材は、綴じ表紙部材側から前記差し込み片の差し込み方向と略平行で略直線状に延びる綴じ足の立ち上がり部と略平行に、差し込み用開口部から延び且つ袋状部の内側に向けて膨らむリブが形成されているので、リブに沿って差し込み片を開き表紙部材の袋状部に抜き差しすることができ、その抜き差しをスムーズに行うことができる。
【０００８】
この明細書においてファイルの裏面（綴じ込む用箋等が綴じ込まれる側、すなわち内側面）側から見て、左側（Ａ面側）を開き表紙部材とし、右側（Ｂ面側）を綴じ表紙部材として説明するが、必ずしもこれに限定される意味ではない。
【０００９】
この発明の上述の目的、その他の目的、特徴および利点は、図面を参照して行う以下の発明の実施の形態の詳細な説明から一層明らかとなろう。
【００１０】
【発明の実施の形態】
図１は、この発明の一実施の形態であるファイル用表紙を示す図で、（Ａ）は正面図解図、（Ｂ）は要部の断面図解図であり、図２は、綴じ具を取り付けた状態における図１図示ファイル用表紙の斜視図解図であり、図３は、図１図示ファイル表紙の利用法を示す正面図解図であり、図４は、図１図示ファイル用表紙の横断面図解図である。
このファイル用表紙１０は、開き表紙部材１２と綴じ表紙部材１４とからなり、前記綴じ表紙部材１４に形成された差し込み片１６が開き表紙部材１２の第１袋状部１８内に摺動自在に差し込まれ、綴じ表紙部材１４に形成された差し込み片１６の開き表紙部材１２の第１袋状部１８内に差し込まれた長さ分、表紙の背幅を変化させることのできるものである。
【００１１】
開き表紙部材１２の第１袋状部１８は、前記第１裏面材２０とそれに対向する第１表面材２２とがその略周縁において連結され、且つ、綴じ表紙部材１４に対向する部位に差し込み用開口部２４が形成されている。
また、開き表紙部材１２の差し込み用開口部２４の近傍には、綴じ表紙部材１４に綴じ足１００の基部１０２が固定された綴じ足１００の立ち上がり部１０４を押さえて固定する第１綴じ足固定片２６が突き出し形成されている。
【００１２】
前記綴じ表紙部材１４は、前記開き表紙部材１２を構成する第１裏面材２０および第１表面材２２と略同一形状の第２裏面材６０および第２表面材６２と、前記開き表紙部材１２の差し込み用開口部２４から前記開き表紙部材１２の第１袋状部１８内に差込まれる差し込み片１６とを備えている。
そして、綴じ表紙部材１４は、前記差し込み片１６の基部６４の近傍に綴じ足１００の基部１０２を固定する第２綴じ足固定片６６が形成されている。
【００１３】
前記開き表紙部材１２は、厚紙からなる方形の前記第１裏面材２０と、該第１裏面材２０と略同一の長さと幅を有し、前記第１裏面材２０に折り曲げ部を介して連設された方形の第１表面材２２とを備え、該第１裏面材２０と第１表面材２２とが、その境界である第１折り曲げ部２８を折曲して、第１裏面材２０の対向する面と第１表面材２２の対向する面とが重ね合わされて第１袋状部１８が形成されている。
第１裏面材２０の上縁には第１連結片３０がおよび下縁には第２連結片３２が連設され、該第１連結片３０および第２連結片３２が第１裏面材２０との境界である第２折り曲げ部３４および第３折り曲げ部３６において第１裏面材２０の対向面（第１袋状部１８の内側面）側に折り曲げられ、第１表面材２２の対向する表面に接合されホットメルト型接着剤等の接着剤によって接着されて、第１裏面材２０と第１表面材２２とが第１袋状部１８を形成するように連結されている。而して、開き表紙部材１２の第１袋状部１８の内側面は略方形であり、綴じ表紙部材１４の差し込み片１６は、第１袋状部１８と略平行に差し込まれるように形成されているが、第１袋状部１８の上縁内側すなわち第２折り曲げ部３４および第１袋状部１８の下縁内側すなわち第３折り曲げ部３６と平行に差し込みまたは抜かれることになる。
【００１４】
第１裏面材２０の第１表面材２２との境界である第１折り曲げ部２８と対向する左側側縁には、第４折り曲げ部４２ａを介して第１綴じ足固定片２６が延設されている。
第１綴じ足固定片２６は、綴じ足１００を固定する綴じ具１２０の厚み分のまち部３８と該まち部３８に延設された綴じ具固定部４０とを備える。そして、綴じ具固定部４０は、まち部３８との境界部を構成する第５折り曲げ部４２ｂを介してまち部３８に延設された第１綴じ具固定片４０ａと、前記第１綴じ具固定片４０ａに第６折り曲げ部４４を介して延設された第２綴じ具固定片４０ｂとからなり、第２綴じ具固定片４０ｂを第１綴じ具固定片４０ａとの境界である第６折り曲げ部４４において第１綴じ具固定片４０ａ側に折り曲げ、重層してホットメルト型接着剤等の接着剤によって接着して形成されている。
綴じ具固定部４０には、綴じ具１２０を固定するための貫通孔４６が穿設されている。貫通孔４６は、第１綴じ具固定片４０ａと第２綴じ具固定片４０ｂとの境界である第６折り曲げ部４４の両側において、第１折り曲げ部２８と等距離をおいて穿設された第１貫通孔４６ａと第２貫通孔４６ｂとを第１綴じ具固定片４０ａと第２綴じ具固定片４０ｂとを重ね合わせたとき合致させて、貫通孔４６を形成するように構成されている。
【００１５】
第１表面材２２は、第１裏面材２０との境界である第１折り曲げ部２８と対向する端縁において、抜け止め片４８が連設されている。抜け止め片４８は、第７折り曲げ部５０において第１表面材２２側に折り曲げられ、後記する綴じ表紙部材１４の差し込み片１６と係止するように構成されている。
【００１６】
開き表紙部材１２を構成する第１裏面材２０には、綴じ表紙部材１４側から差し込み片１６の差し込み方向と平行で略直線状に延びる綴じ足１００の立ち上がり部１０４と略平行に、すなわち第１裏面材２０の幅方向（第２折り曲げ部３４と第３折り曲げ部３６と平行）に延びる直線状リブ５２ａおよび５２ｂが第１袋状部１８の内側面に向けて突設されている。
【００１７】
第１裏面材２０と第１表面材２２との第１折り曲げ部２８近傍には、ひも通し孔５４ａおよび５４ｂが穿設され、第１裏面材２０と第１表面材２２とが第１折り曲げ部２８において折り曲げられ、それぞれの対向面が重ね合わされたとき、ひも通し孔５４ａとひも通し孔５４ｂとが合致するように、第１折り曲げ部２８より適宜な間隔をおいて、ひも通し孔５４ａとひも通し孔５４ｂとが略同一の高さおよび幅位置において形成されている。
【００１８】
綴じ表紙部材１４は、前記開き表紙部材１２を構成する方形の第１裏面材２０および第１表面材２２と略同一形状であって、厚紙からなる第２裏面材６０と前記第２裏面材６０と略同一の長さと幅とを有し、前記第２裏面材６０と対向する厚紙からなる方形の第２表面材６２とを備え、該第２裏面材６０と第２表面材６２とが、境界である第１１折り曲げ部６８を介して連設され、第１１折り曲げ部６８において折曲して、その対向面が重ね合わされて、第２袋状部７０が形成されている。
第２裏面材６０の上縁の第１２折り曲げ部７２を介して第２裏面材６０に連設された第３連結片７６と、第２裏面材６０の下縁の第８折り曲げ部７４を介して、第２裏面材６０に連設された第４連結片７８とが、第１２折り曲げ部７２および第１３折り曲げ部７４において第２裏面材６０側に折り曲げられ、第２表面材６２の対向する表面（第２袋状部７０側の内面）に接合され、ホットメルト型接着剤等の接着剤によって接着されて、第２袋状部７０が形成されている。
【００１９】
第２裏面材６０の第２表面材６２との境界である第１１折り曲げ部６８と対向する右側側縁には、第２綴じ足固定片６６が延設されている。
第２綴じ足固定片６６は、第２裏面材６０の第１１折り曲げ部６８と対向する端縁の第１４折り曲げ部８０を介して、延設された第１綴じ足固定片８２ａと、第１５折り曲げ部８４を介して第１綴じ足固定片８２ａに延設された第２綴じ足固定片８２ｂとを第１５折り曲げ部８４において折曲し、第１綴じ足固定片８２ａと第２綴じ足固定片８２ｂとを重ね合わせ、ホットメルト型接着剤等の接着剤により接着してなる。
【００２０】
第２裏面材６０の第１１折り曲げ部６８と対向する境界である第１６折り曲げ部８６を介して、差し込み片１６が第２表面材６２に連設されている。
【００２１】
差し込み片１６は、背表紙を兼用するように構成され、上下に亘って連続した折り目線８８が複数条一定の間隔をおいて平行に形成され、差し込み片１６が屈曲するように形成されている。
【００２２】
差し込み片１６の第１１折り曲げ部６８と対向する端縁に形成された第１７折り曲げ部９０を介して抜け止め片９２が連設されている。
【００２３】
抜け止め片９２は、第１７折り曲げ部９０において、差し込み片１６側に折り曲げられ、前記開き表紙部材１２の抜け止め片４８と係止するように構成されている。
【００２４】
第２綴じ足固定片６６には、綴じ足１００の基部１０２を固定するための貫通孔９４が穿設されている。貫通孔９４は、第１綴じ足固定片８２ａと第２綴じ足固定片８２ｂとの境界である第１５折り曲げ部８４の両側において、第１５折り曲げ部８４と等距離をおいて穿設された第１貫通孔９４ａと第２貫通孔９４ｂとを、第１綴じ足固定片８２ａと第２綴じ足固定片８２ｂを重ね合わされたとき合致させて貫通孔９４を形成するように構成されている。
【００２５】
第２裏面材６０と第２表面材６２との境界である第１１折り曲げ部６８近傍には、ひも通し孔９６ａおよび９６ｂが穿設され、第２裏面材６０と第２表面材６２とが第１１折り曲げ部６８において折り曲げられ、それぞれの対向面が重ね合わされたとき、ひも通し孔９６ａとひも通し孔９６ｂとが合致するように、第１１折り曲げ部６８より等距離の適宜な間隔をおいて、ひも通し孔９６ａとひも通し孔９６ｂとが略同一の高さおよび幅位置において形成されている。
【００２６】
次に、このファイル用表紙１０の製造方法について説明する。
まず、製紙（抄造）と同時に、適宜な形状に厚紙を裁断する。
次に、トムソン加工により、図９に示すように、開き表紙部材１２の展開した形状に厚紙を裁断するとともに、第１貫通孔４６ａおよび第２貫通孔４６ｂとひも通し孔５４ａおよびひも通し孔５４ｂとの抜き加工を施す。
【００２７】
更に、前記トムソン加工と同時に一度に、トムソン加工してなる開き表紙部材１２を展開した状態において、トムソン加工を施す。すなわち、第１折り曲げ部２８、第２折り曲げ部３４、第３折り曲げ部３６、第４折り曲げ部４２ａ、第５折り曲げ部４２ｂ、第６折り曲げ部４４および第７折り曲げ部５０を折り曲げできるように、第１裏面材２０と第１表面材２２との非対向面（第１袋状部１８の外側面）から反対側の対向面側（第１袋状部１８の内側面）に向けてトムソン刃によって対向面（第１袋状部１８の内側面）側に凹むように溝を付ける。
このとき、第１裏面材２０と第１表面材２２との非対向面（第１袋状部１８の外側面）から反対側の対向面側（第１袋状部１８の内側面）に向けてトムソン刃によって対向面（第１袋状部１８の内側面）側に凹むように溝を付けて、リブ５２ａおよび５２ｂを形成する。
【００２８】
次に、第２綴じ具固定片４０ｂの表面にホットメルト型接着剤等の接着剤を塗布し（図１１参照）、第６折り曲げ部４４を、第１裏面材２０と第１表面材２２との対向面側を内側とした谷折りとし（図１１および図１２参照）、第１綴じ具固定片４０ａと第２綴じ具固定片４０ｂとを接着する。
【００２９】
次に、第１連結片３０および第２連結片３２を第２折り曲げ部３４と第３折り曲げ部３６において、第１裏面材２０と第１表面材２２との対向面を内側とした谷折りとし、また、第７折り曲げ部５０を、第１裏面材２０と第１表面材２２との対向面を内側とする谷折りにする（図９参照）。
第２折り曲げ部３４と第３折り曲げ部３６とにおいて内側に折り曲げられた第１連結片３０および第２連結片３２の表面に接着剤を塗布し、次に、第１折り曲げ部２８を対向面を内側とした谷折りとして、第１裏面材２０と第１表面材２２とを重ね合わせ、第１表面材２２の対向面（袋状部１８の内側面）と第１連結片３０および第２連結片３２とを接着する。
このとき、第７折り曲げ部５０において、内側に折り曲げられた抜け止め片４８は、袋状部１８の内部に折り曲げられた状態で入り込むように第１裏面材２０と第１表面材２２とを重ね合わせる必要がある。
【００３０】
次に、綴じ表紙部材１４の製造方法について説明する。
まず、製紙（抄造）と同時に、適宜な形状に厚紙を裁断する。
次に、トムソン加工により、図１３に示すように、綴じ表紙部材１４を展開した状態における形状に厚紙を裁断するとともに、第２綴じ足固定片６６の第１貫通孔９４ａおよび第２貫通孔９４ｂとひも通し孔９６ａおよびひも通し孔９６ｂとの抜き加工を施す。
【００３１】
更に、前記トムソン加工と同時に一度に、トムソン加工してなる綴じ表紙部材１４を展開した状態において、次のトムソン加工を施す。
第１１折り曲げ部６８、第１２折り曲げ部７２、第１３折り曲げ部７４、第１４折り曲げ部８０、第１５折り曲げ部８４および第１６折り曲げ部８６および第１７折り曲げ部９０を折り曲げられるように、第２裏面材６０と第２表面材６２との非対向面（第２袋状部７０の外側面）側から反対側の対向面（第２袋状部７０の内側面）側に向けてトムソン刃によって対向面に向けて凹むように、トムソン加工により溝加工を施す。また、折り目線８８を形成するための溝加工も、トムソン加工により同様に施す。
【００３２】
次に、第２綴じ足固定片６６を形成する第１綴じ足固定片８２ａの対向面側にホットメルト型接着剤等の接着剤を塗布し、第１５折り曲げ部８４において谷折りとし、第１綴じ足固定片８２ａを第２綴じ足固定片８２ｂに重ね合わせ接着する（図１５参照）。
【００３３】
次に、第１２折り曲げ部７２および第１３折り曲げ部７４において、第２裏面材６０および第２表面材６２の対向面に向けて第３連結片７６および第４連結片７８を谷折りにする。そして、第３連結片７６および第４連結片７８の対向面とは反対側の非対向面側にホットメルト型の接着剤等の接着剤を塗布し（図１６参照）、第１１折り曲げ部６８を谷折りにして、第２裏面材６０と第２表面材６２とを重ね合わせ、第３連結片７６および第４連結片７８と第２表面材６２の対向面（第２袋状部７０の内側面）とを接着する。
【００３４】
このように、第２裏面材６０と第２表面材６２とが、第３連結片７６および第４連結片７８の接着により、第２袋状部７０が形成される。このとき、差し込み片１６は、第２表面材６２より外方に延びたままとする。
そして、抜け止め片９２は、第１７折り曲げ部９０において谷折りとする。すなわち、抜け止め片９２は、第２綴じ足固定片８２ｂとは反対側に向けて折り曲げられる（図１７参照）。
【００３５】
次に、図１８に示すように、開き表紙部材１２を、左側（Ａ面側）とし、綴じ表紙部材１４を、右側（Ｂ面側）とし、開き表紙部材１２の第１綴じ足固定片２６を裏面（ファイルの内側）とし、綴じ表紙部材１４の第２綴じ足固定片６６をファイルの内側（裏面）とし、開き表紙部材１２の袋状部１８にその開口部より綴じ表紙部材１４の差し込み片１６を差し込み、開き表紙部材１２の袋状部１８内に適宜な量だけ収納する、開き表紙部材１２の抜け止め片４８と綴じ表紙部材１４の抜け止め片９２とはそれぞれが反対方向に向けて折り曲げられているので、開き表紙部材１２の袋状部１８内において、綴じ表紙部材１４を開き表紙部材１２より抜き出したとき、係止され、それ以上抜き出されることを防止している。
【００３６】
綴じ表紙部材１４の第２綴じ足固定片６６には、被綴じ物Ａの綴じ穴に対応する間隔をおいて、第１貫通孔９４ａと第２貫通孔９４ｂとが形成されているが、該第１貫通孔９４ａと第２貫通孔９４ｂとに綴じ足１００の基部１０２を固定して、２本の綴じ足１００が形成され、２本の綴じ足１００は開き表紙部材１２の第１綴じ足固定片２６に向かって延びるように取り付けられる。
綴じ足１００は、たとえば１本の柔軟性を有する合成樹脂製帯状物の両端側を、被綴じ物Ａの綴じ穴に対応する間隔をおいて第２綴じ足固定片６６に形成された第１貫通孔９４ａと第２貫通孔９４ｂに通すことにより形成される。これらの綴じ足１００には、外面側にたとえば鋸状の凹凸部が形成される（図２参照）。
【００３７】
また、開き表紙部材１２の第１綴じ足固定片２６には、綴じ具１２０が取り付けられる。綴じ具１２０は、第１綴じ足固定片２６上に押さえ具１２２が配置され、さらに押さえ具１２２に足固定具１２４が嵌め込まれてなる。
【００３８】
このファィル用表紙１０に書類等の被綴じ物Ａを綴じるには、綴じ穴が形成された書類等の被綴じ物Ａが、開き表紙部材１２の第１綴じ足固定片２６と綴じ表紙部材１４の第２綴じ足固定片６６との間に挟み込まれる。そして、差し込み片の基部６４から延びる綴じ足１００が、被綴じ物Ａの綴じ穴に挿通される。さらに、この綴じ足１００は、開き表紙部材１２の第１綴じ足固定片２６の貫通孔４６から押さえ具１２２の開口部（図示せず）および足固定具１２４の開口部（図示せず）を通して、綴じ片１２６の中空部（図示せず）に挿通される。このとき、綴じ片１２６は、開き表紙部材１２の第１綴じ足固定片２６に対して直交する状態、つまり押さえ具１２２に対して起きた状態になっている。
【００３９】
次に、綴じ片１２６を倒し、その係止部が押さえ具１２２の凹部に嵌め込まれる。それによって、綴じ足１００の凹凸部１０６が、押さえ具１２２の凹凸部１２８に嵌り込んで、綴じ足１００の引き抜きが防止される。このようにして、被綴じ物Ａは綴じ込まれ、ファイル用表紙１０に保持される。
【００４０】
ファイル用表紙１０に綴じられる被綴じ物Ａが多くなると、図１９に示すように、ひも通し孔５４ａおよび５４ｂとひも通し孔９６ａおよび９６ｂとにひもを通し、ひもの両端を結ぶとよい。ファイル用表紙１０に綴じられた被綴じ物Ａの量が多くても、開き表紙部材１２と綴じ表紙部材１４とがひもによって結合されるので、開き表紙部材１２と綴じ表紙部材１４とが離れにくく、開き表紙部材１２と綴じ表紙部材１４とを垂直に立てても、開き表紙部材１２と綴じ表紙部材１４とにより被綴じ物Ａを挟持した状態を維持して倒れにくく、ファイルを保管し易い。
【図面の簡単な説明】
【図１】この発明の一実施の形態であるファイル用表紙を示す図で、（Ａ）は正面図解図であり、（Ｂ）は要部の断面図解図である。
【図２】綴じ具を取り付けた状態における図１図示ファイル用表紙の斜視図解図である。
【図３】図１図示ファイル表紙の利用法を示す正面図解図である。
【図４】図１図示ファイル用表紙の横断面図解図である。
【図５】開き表紙部材の正面図解図である。
【図６】開き表紙部材の横断面図解図である。
【図７】綴じ表紙部材の正面図解図である。
【図８】綴じ表紙部材の横断面図解図である。
【図９】開き表紙部材の製法を示す図解図である。
【図１０】開き表紙部材の製法を示す図解図である。
【図１１】開き表紙部材の製法を示す図解図である。
【図１２】開き表紙部材の製法を示す図解図である。
【図１３】綴じ表紙部材の製法を示す図解図である。
【図１４】綴じ表紙部材の製法を示す図解図である。
【図１５】綴じ表紙部材の製法を示す図解図である。
【図１６】綴じ表紙部材の製法を示す図解図である。
【図１７】綴じ表紙部材の製法を示す図解図である。
【図１８】開き表紙部材と綴じ表紙部材との組み合わせ方法を示す図解図である。
【図１９】ファイルの利用方法を示す斜視図解図である。
【符号の説明】
１０  ファイル用表紙
１２  開き表紙部材
１４  綴じ表紙部材
１６  差し込み片
１８  第１袋状部
２０  第１裏面材
２２  第１表面材
２４  差し込み用開口部
２６  第１綴じ足固定片
２８  第１折り曲げ部
３０  第１連結片
３２  第２連結片
３４  第２折り曲げ部
３６  第３折り曲げ部
３８  まち部
４０  綴じ具固定部
４０ａ  第１綴じ具固定片
４０ｂ  第２綴じ具固定片
４２ａ  第４折り曲げ部
４２ｂ  第５折り曲げ部
４４  第６折り曲げ部
４６  貫通孔
４６ａ  第１貫通孔
４６ｂ  第２貫通孔
４８  抜け止め片
５０  第７折り曲げ部
５２ａ  リブ
５２ｂ  リブ
５４ａ  ひも通し孔
５４ｂ  ひも通し孔
６０  第２裏面材
６２  第２表面材
６４  差し込み片の基部
６６  第２綴じ足固定片
６８  第１１折り曲げ部
７０  第２袋状部
７２  第１２折り曲げ部
７４  第１３折り曲げ部
７６  第３連結片
７８  第４連結片
８０  第１４折り曲げ部
８２ａ  第１綴じ足固定片
８２ｂ  第２綴じ足固定片
８４  第１５折り曲げ部
８６  第１６折り曲げ部
８８  折り目線
９０  第１７折り曲げ部
９２  抜け止め片
９４  貫通孔
９４ａ  第１貫通孔
９４ｂ  第２貫通孔
９６ａ，９６ｂ  ひも通し孔
１００  綴じ足
１０２  綴じ足の基部
１０４  立ち上がり部
１０６  凹凸部
１２０  綴じ具
１２２  押さえ具
１２４  足固定具
１２６  綴じ片
１２８  凹凸部
Ａ  被綴じ物
【図１】
2004338293.tif 000003
【図２】
2004338293.tif 000004
【図３】
2004338293.tif 000005
【図４】
2004338293.tif 000006
【図５】
2004338293.tif 000007
【図６】
2004338293.tif 000008
【図７】
2004338293.tif 000009
【図８】
2004338293.tif 000010
【図９】
2004338293.tif 000011
【図１０】
2004338293.tif 000012
【図１１】
2004338293.tif 000013
【図１２】
2004338293.tif 000014
【図１３】
2004338293.tif 000015
【図１４】
2004338293.tif 000016
【図１５】
2004338293.tif 000017
【図１６】
2004338293.tif 000018
【図１７】
2004338293.tif 000019
【図１８】
2004338293.tif 000020
【図１９】
2004338293.tif 000021